(57)【要約】【課題】器具本体内の蓄電池の装着部を器具本体の開口面から広範囲にわたって視認できるとともに固定具の操作を不要にし、蓄電池の交換作業を簡略化する。【解決手段】蓄電池７の装着部５１を第１面５Ａに形成した支持板５を、器具本体１の内部で回転軸９を支点に揺動自在に支持した。支持板５は、器具本体１の底面１Ａと第１面５Ａとの成す角度が９０度の第１の位置と、器具本体１の底面１Ａと第１面５Ａとの成す角度が６０度程度の第２の位置との間に揺動する。支持板５が第２の位置にあるときに、装着部５１と器具本体１の内側面１Ｃとの間には、装着部５１に対して蓄電池７を第１面５Ａの法線方向に着脱するために十分な空間が形成される。【選択図】図３
2011023155.tif 000002
【特許請求の範囲】
【請求項１】
一面を開放面にした筐体である器具本体と、
照明用の光源に対する電源回路を含む回路部品を保持するとともに、第１面に蓄電池が法線方向に着脱される装着部を備えた板状体の支持板と、
器具本体の内部で第１面が開放面となす角度を変更自在にして支持板を保持する回転軸と、を備えた埋込型照明器具。
【請求項２】
前記回転軸は、第１面と開放面とのなす角度が略９０度となる第１の位置と第１面と開放面との成す角度が９０度よりも小さい第２の位置との間で支持板を保持する請求項１に記載の埋込型照明器具。
【請求項３】
前記支持板における前記第１面の反対側の面である第２面に、光源を収納した光源ユニットが法線方向に着脱される取付部材を備えた請求項１又は２に記載の埋込型照明器具。
【請求項４】
前記支持板を第１の位置で弾性的に固定する固定部材を備えた請求項１乃至３の何れかに記載の埋込型照明器具。
【発明の詳細な説明】
【技術分野】
【０００１】
この発明は、光源点灯用の回路部品を天井又は側壁内に埋め込み、光源を天井又は側壁から露出させて配置される埋込型照明器具に関する。
【背景技術】
【０００２】
緊急時の避難経路を表示する誘導灯のように、光源点灯用の回路部品を天井又は側壁内に埋め込み、光源を天井又は側壁から露出させて配置される埋込型照明器具がある。天井に設置される誘導灯では、電源及び回路部品を収納した箱状の器具本体を天井に形成された埋込孔に下方から挿入し、器具本体の底面から延出した表示ユニットを天井の下方に露出させるようにしたものがある（例えば、特許文献１参照。）。器具本体の底面にはフランジが形成されており、フランジの上面は、天井面に当接する。
【０００３】
誘導灯は、緊急時に商用電源ラインが切断された場合でも光源の点灯状態を維持する必要があり、器具本体内に補助電源としての蓄電池が収納されている。蓄電池は、経時的に蓄電量が低下するため、適切なタイミングで交換しなければならない。
【０００４】
そこで、従来の誘導灯では、器具本体の底面を開放面とし、蓄電池を器具本体内に底面を経由して垂直方向に着脱自在にしている。器具本体内の蓄電池の装着部には、装着部に装着された蓄電池の底面に当接する固定具が備えられている。固定具は、蓄電池の落下を防止する。
【先行技術文献】
【特許文献】
【０００５】
【特許文献１】特開２００２−１７５７１０公報
【発明の概要】
【発明が解決しようとする課題】
【０００６】
しかし、従来の埋込型照明器具では、装着部に蓄電池が垂直方向に沿って着脱されるため、開口面から装着部の一面側のみが露出しており、装着部の位置を正確に視認することが困難であった。また、蓄電池の交換に際して、固定具の操作が必要になる。このため、従来の埋込型照明器具では、蓄電池の交換作業が煩雑になる問題がある。
【０００７】
この発明の目的は、器具本体内の蓄電池の装着部を器具本体の開口面から広範囲にわたって視認できるとともに、固定具の操作を不要にし、蓄電池の交換作業を簡略化できる埋込型照明器具を提供することにある。
【課題を解決するための手段】
【０００８】
この発明の埋込型照明器具は、器具本体、支持板及び回転軸を備えている。器具本体は、一面を開放面にした筐体である。支持板は、回路部品を保持するとともに第１面に蓄電池が法線方向に着脱される装着部を備えた板状体である。回転軸は、器具本体の内部で第１面が開放面となす角度を変更自在にして支持板を保持する。
【０００９】
この構成では、器具本体の内部で、支持板の第１面と器具本体の開放面とのなす角度を変化させることができる。回路部品を保持する支持板の第１面には、装着部に蓄電池が着脱される。第１面と開放面とのなす角度を９０度よりも小さくすると、第１面が開放面から外部に露呈し、装着部と器具本体の内面との空間が装着部の法線方向について拡がる。
【００１０】
この構成において、回転軸は、第１面と開放面とのなす角度が略９０度となる第１の位置と第１面と開放面との成す角度が９０度よりも小さい第２の位置との間で支持板を保持するものとすることが好ましい。第１の位置で支持板を器具本体内に安定して保持することができるとともに第１面と反対側の第２面と器具本体の内面との間に他のユニットを収納可能な空間を形成することができ、第２の位置で装着部に対する蓄電池の着脱作業を容易に行うことができる。
【００１１】
また、支持板における第１面の反対側の面である第２面に、光源を収納した光源ユニットが法線方向に着脱される取付部材を備えることが好ましい。第１の位置で第２面と器具本体の内面との間に形成される空間を有効に活用することができる。取付部材が第２面から延出して形成されている場合には、器具本体の第２面に対向する側面に取付部材が貫通する孔部を形成することが好ましい。支持板を第２の位置に移動させる際に取付部材と器具本体の内面との干渉を避けることができる。
【００１２】
さらに、支持板を第１の位置で弾性的に固定する固定部材を備えることが好ましい。取付部材に他のユニットが装着された状態で、支持板の移動を規制して他のユニットを安定した状態で保持することができる。
【発明の効果】
【００１３】
この発明によれば、器具本体内の蓄電池の装着部を器具本体の開口面から広範囲にわたって視認できるとともに、固定具の操作を不要にし、蓄電池の交換作業を簡略化できる。
【図面の簡単な説明】
【００１４】
【図１】この発明の実施形態に係る埋込型照明器具である誘導灯の組立図である。
【図２】（Ａ）及び（Ｂ）同誘導灯の側面断面図である。
【図３】（Ａ）及び（Ｂ）は同誘導灯における蓄電池交換時の斜視図である。
【発明を実施するための最良の形態】
【００１５】
図１に示すように、この発明の実施形態に係る埋込型照明器具である誘導灯１０は、器具本体１、光源ユニット２、表示板３、カバー４を備えている。
【００１６】
器具本体１は、例えば金属平板を素材としてプレス加工によって成形された底面１Ａを開放面とする筐体である。器具本体１の矩形を呈する底面１Ａの周縁部には、フランジ部１１〜１４が形成されている。器具本体１の互いに対向する２側面のそれぞれには取付バネ１５が固定されている。器具本体１は、例えば天井に形成された埋込孔１０１に下方から挿入される。フランジ部１１〜１４の上面が埋込孔１０１の周囲における天井の下面に当接するとともに、取付バネ１５が埋込孔１０１の内周面に圧接する。器具本体１は、取付バネ１５の弾性力によって天井に固定される。
【００１７】
光源ユニット２は、光を下方に照射する光源を備えている。光源は、例えばＬＥＤアレイである。光源ユニット２には、器具本体１内に収納された回路ユニット６に接続されたコネクタ６１，６２が装着される。光源ユニット２には、回路ユニット６の端子部６０に嵌入された商用電源線１０２から、コネクタ６１，６２を介して電源が供給される。
【００１８】
表示板３は、内部に導光板を備え、上面の装着部３Ａに光源ユニット２が装着される。導光板は、光源ユニット２の光源の光を表示面に配光する。
【００１９】
カバー４は、天井に取り付けられた器具本体１の底面１Ａを被覆する。カバー４には、中央部に貫通孔４Ａが形成されている。貫通孔４Ａには、上端を器具本体１の内部で保持された表示板３が貫通する。
【００２０】
図２に示すように、器具本体１の内部には、支持板５が、上端部に嵌入する支持ピン９を支点として揺動自在に配置されている。支持ピン９は、この発明の回転軸であり、一例として器具本体１の互いに対向する側面に外部から螺合して貫通している。
【００２１】
支持板５は、一例として金属平板のプレス加工によって板状体に構成されている。支持板５は、電源回路等を構成する回路部品を収納した回路ユニット６を第１面５Ａに保持する。第１面５Ａには、装着部５１が形成されている。装着部５１には蓄電池７が着脱自在に装着される。支持板５の第２面５Ｂには、この発明の取付部材である取付ピン８が延出している。取付ピン８には、表示板３の上端部に形成された孔部が水平方向に外嵌することで、表示板３が装着される。
【００２２】
支持板５は、器具本体１内で、図２（Ａ）に示す第１の位置と、図２（Ｂ）に示す第２の位置と、の間に揺動する。支持板５が第１の位置にある時、第１面５Ａと器具本体１の底面１Ａとの成す角度θ１は９０度である。支持板５が第２の位置ある時、第１面５Ａと器具本体１の底面面１Ａとの成す角度θ２は略６０度である。
【００２３】
図２（Ａ）に示すように、支持板５が第１の位置にある時に、支持板５の第２面５Ｂと器具本体１の内側面１Ｂとの間には、取付ピン８に表示板３を着脱するために十分な空間が形成されている。即ち、取付ピン８と内側面１Ｂとの間の距離は、表示板３の幅よりも大きい。このため、取付ピン８に装着された表示板３を、取付ピン８から離間する位置まで水平方向に移動させることができる。
【００２４】
図２（Ｂ）に示すように、支持板５が第２の位置にある時に、支持板５の第１面５Ａの装着部５１と器具本体１の内側面１Ｃとの間には、蓄電池７を装着部５１に第１面５Ａの法線方向に沿って着脱するために十分な空間が形成される。即ち、装着部５１は支持板５において第１面５Ａの下端側に寄せて形成されており、支持板５は上端部を支点に揺動する。このため、支持板５が第２の位置にあるときには、支持板５の下端側が内側面１Ｃから大きく離間する。この時、第１面５Ａが器具本体１の底面である底面１Ａから下方に露呈する。
【００２５】
支持板５には、折曲片５２が第１面５Ａ側に折り曲げて延出している。折曲片５２には、突起５２Ａが形成されている。突起５２Ａは、支持板５が第１の位置にあるときに、器具本体１の内側面に形成された凹部１６に弾性的に嵌入し、支持板５の移動を規制する。これによって、取付ピン８に表示板３を装着した状態の支持板５を、器具本体１内で安定した状態に保持できる。
【００２６】
なお、支持板５が第２の位置にあるときに、突起５２Ａが弾性的に嵌入する別の凹部を器具本体１の内側面に形成し、第２の位置からの支持板５の移動を規制するようにしてもよい。
【００２７】
器具本体１の第２面５Ｂが対向する側面には、支持板５が第２の位置に移動する際に取付ピン８が貫通する孔部１７が形成されている。取付ピン８は、支持板５を第２の位置に移動させる際に、孔部１７を貫通するため器具本体１に干渉することがない。
【００２８】
図３に示すように、蓄電池７の交換時には、器具本体１から光源ユニット２、表示板３、カバー４を取り外した状態で、支持板５を図３（Ａ）に示す第１の位置から図３（Ｂ）に示す第２の位置に向けて矢印Ａ方向に揺動させる。これよって、支持板５に装着されている蓄電池７が底面１Ａから下方に露呈する。
【００２９】
次いで、蓄電池７の端子部７Ａに形成された弾性片７Ｂを押圧して回路ユニット６の凹部６Ａとの係合を解除し、端子部７Ａを摘んだ状態で蓄電池７を装着部５１から第１面５Ａの法線方向に引き抜く。これによって、使用済みの蓄電池７が装着部５１から取り外される。
【００３０】
この後、新たな蓄電池７を底面１Ａから器具本体１内に挿入し、装着部５１に第１面５Ａの法線方向に沿って、弾性片７Ｂが回路ユニット６の凹部６Ａに嵌入するまで移動させる。これによって、装着部５１に新たな蓄電池７が装着される。
【００３１】
上記のように、蓄電池７の装着部５１が第１面５Ａに形成された支持板５を、器具本体１の内側面１Ｃから離間する方向に揺動させることで、蓄電池７の着脱に際して装着部５１と内側面１Ｃとの間に十分な空間を形成することができる。この時、作業者は、装着部５１に装着された蓄電池７、及び蓄電池７を装着すべき装着部５１を、器具本体１の下方から底面１Ａを経由して視認することができる。このため、作業者は蓄電池７の交換作業を極めて容易に行うことができる。
【００３２】
なお、上記の実施形態では、本願発明を天井に埋設される誘導灯に適用した場合について説明したが、本願発明はこれに限るものではない。本願発明は、天井に埋設される他の照明器具や壁面に埋設される照明器具にも同様に適用できる。
【００３３】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００３４】
１−器具本体
２−光源ユニット
３−表示板
４−カバー
５−支持板
６−回路ユニット
７−蓄電池
８−取付ピン（取付部材）
９−支持ピン（回転軸）
１０−誘導灯
１０１−埋込孔
【図１】
2011023155.tif 000003
【図２】
2011023155.tif 000004
【図３】
2011023155.tif 000005